(57)【特許請求の範囲】
【請求項１】
本体ケースと、本体ケースの１方の面に設けられたスクリーンと、本体ケースの底部に、本体ケースに対して移動自在に取り付けられた映像投写装置と、本体ケースに回動自在に取り付けられ、映像投写装置からの映像光をスクリーンに反射させる反射ミラーと、スクリーンの前方で本体ケースに回動自在の取り付けられた第１の蓋部と、反射ミラーの後方で本体ケースに回動自在に取り付けられた第２の蓋部とを備え、収納時には、第１の蓋部でスクリーンを覆うと共に、第２の蓋部で反射ミラーを覆い、使用時には、第１及び第２の蓋部を本体ケースの下方部に回動移動させて脚部として用い、反射ミラーが本体ケース外に引き出し可能に構成されていると共に、映像投写装置が本体ケース外に移動自在に構成されていることを特徴とする背面投写型表示装置。
【発明の詳細な説明】
【０００１】
【発明の属する技術分野】
この発明は、映像投影装置からの映像光をスクリーンの背面側に受け、スクリーンの正面側に位置する観察者に向けて映像光を発するようにした背面投写型表示装置に関する。
【０００２】
【従来の技術】
図５は、従来の背面投写型表示装置を示した概略の構成図である。この背面投写型表示装置は、筐体１０１内に配置された映像投写装置１０２、投影レンズ１０３、反射ミラー１０４および透過型の拡散スクリーン１０５により構成されている。映像投写装置１０２から出射された投影映像光は、投写レンズユニット１０３によって拡大投影され、反射ミラー１０４により反射され、透過型の拡散スクリーン１０５の背面側に入射される。観察者は、拡散スクリーン１０５の正面位置で映像を見ることができる。この種の背面投写型表示装置は、ブラウン管を画面とする構造に比べて、大画面化が容易であるという利点を有している。
【０００３】
【発明が解決しようとする課題】
しかしながら、従来の背面投写型表示装置は、投影表示によって大画面を得ることを主目的にして設計されており、装置を用いないときの収納状態について考慮はされていない。また、上記した背面投写型表示装置を公共機関や会社などで、コミュニケーション表示装置、情報表示端末に用いる場合には、かかる装置を会議室などに持ち運ぶ場合がある。このため、持ち運びが容易な背面投写型表示装置も望まれている。
【０００４】
この発明は、上述した従来の問題点を解決するためになされたものにして、保管並びに持ち運びが容易な背面投写型表示装置を提供することをその目的とする。
【０００５】
【課題を解決するための手段】
この発明は、本体ケースと、本体ケースの１方の面に設けられたスクリーンと、本体ケースの底部に、本体ケースに対して移動自在に取り付けられた映像投写装置と、本体ケースに回動自在に取り付けられ、映像投写装置からの映像光をスクリーンに反射させる反射ミラーと、スクリーンの前方で本体ケースに回動自在の取り付けられた第１の蓋部と、反射ミラーの後方で本体ケースに回動自在に取り付けられた第２の蓋部とを備え、収納時には、第１の蓋部でスクリーンを覆うと共に、第２の蓋部で反射ミラーを覆い、使用時には、第１及び第２の蓋部を本体ケースの下方部に回動移動させて脚部として用い、反射ミラーが本体ケース外に引き出し可能に構成されていると共に、映像投写装置が本体ケース外に移動自在に構成されていることを特徴とする。
【０００９】
上記の構成すれば、背面投写型表示装置を使用するときは大きく、使用しない時には、コンパクトに収納でき保管、持ち運びに便利である。
【００１０】
【発明の実施の形態】
以下、この発明の実施の形態を図１乃至図４に基づいて説明する。
図１及び図２は背面投写型表示装置の使用時、図３及び図４は背面投写型表示装置の収納並びに携帯時を示している。
【００１１】
図に示すように、この実施の形態の背面投写型表示装置は、本体ケース１と、本体ケース１内の底部に配置されるた映像投写装置２と、映像投写装置２から投写された映像光を全反射する全反射ミラー３と、この全反射ミラー３にて反射された映像光を背面側から受けて前面側に拡散出射する透過型の拡散スクリーン４と、を備える。
【００１２】
前記拡散スクリーン４は本体ケース１の１方の面に固定され、また、他方の面には、上部の図示しない回転軸に全反射ミラー３が回動自在に取り付けられている。この全反射ミラー３は、収納位置と使用位置とにそれぞれ保持できるように、図示しないロック機構が設けられいる。そして、収納時には、図４に示すように、本体ケース１内に格納された状態でロックされ、使用時には、図２に示すように、本体ケース１内から引き出され、映像投写装置２からの投影光をスクリーン４側へ導く位置でロックされる。
【００１３】
また、映像投写装置２は、支持部１２により、本体ケース１に対して移動自在に取り付けられている。即ち、収納時には本体ケース１内に格納される状態で保持され、使用時には本体ケース１の底部から下にせり出す形で保持される。この実施の形態では、拡散スクリーン４が本体ケース１とほぼ同じ大きさに形成されているので、全反射ミラー３から拡散スクリーン４の全面に映像投写装置２からの映像光を拡大投影できるように、本体ケース１より下側に映像投写装置２が配置できるように構成して、その光路を確保している。
【００１４】
前記映像投写装置２内には、メタルハライドランプなどの光源と、液晶表示パネルと、図示しない液晶表示パネルを制御する映像表示制御部が設けられている。
【００１５】
本体ケース１の拡散スクリーン４の前方側及び全反射ミラー３の後方側には、扉状の蓋部５、６がそれぞれ回動自在に取り付けられている。この蓋部５、６には図示しないロック機構が取り付けられている。そして、収納時には本体ケース１と係合し、前面及び後面を蓋をした状態でロックされる。即ち、図３及び図４に示すように、鞄（トランク）のような形状で収納される。
【００１６】
使用時には両蓋部５、６を拡散スクリーン４並びに全反射ミラー３を開放するように、図２の矢印方向に回動させ、所定の位置でロックして、その状態を保つ。この時、蓋部５、６は背面投写型表示装置の脚部としての機能を果たす。即ち、この蓋部５、６は鞄形状の外側の蓋と脚との機能を併せ持つ。
【００１７】
また、本体ケース１の上部には持ち運びに便利なように取手１１を設けている。
【００１８】
この実施の形態の背面投写型表示装置は、図３及び図４に示すように、鞄形状の本体ケース１内に拡散スクリーン４、映像投写装置２及び全反射ミラー３が収納されている。このケース本体１の寸法はスクリーン４の大きさにより決定される。
【００１９】
使用者２０は、図３に示すように、取手１１を持って容易に持ち運ぶことができる。また、保管は、装置が鞄の形状になっているので、容易である。
【００２０】
使用時は、扉状の蓋５、６を開け、この蓋５、６を脚にして固定する。そして、全反射ミラー３を反射角度がとれるように起こしてセットする。映像投写装置２を本体ケースの下側に引き出して所定の位置でセットする。図１及び図２に示すように、使用者２０は拡散スクリーン４の前方から映像を観察する。
【００２１】
また、収納時には、この逆の動作を行い鞄形状のケースに収める。
【００２２】
上記の構成であれば、背面投写型表示装置を使用するときは大きく、使用しない時には、全反射ミラー３及び映像投写装置２をケース本体１内に収納すればコンパクトに保管でき持ち運びに便利である。
【００２３】
尚、上記した実施の形態においては、全反射ミラー３を引き出し可能に構成しているので、収納時の本体ケース１の幅を細くできる。勿論、全反射ミラー３を本体ケース１に固定して構成することもできるが、この時は、本体ケース１の幅がこの実施の形態より広くなる。
【００２４】
また、この実施の形態では、映像投写装置２を本体ケース１に対して移動自在に支持部１２により取り付けているが、本体ケース１の底部に映像投写装置２を固定してもよい。
【００２５】
【発明の効果】
以上説明したように、この発明によれば、保管並びに持ち運びが容易な背面投写型表示装置を提供することができる。
【図面の簡単な説明】
【図１】この発明の背面投写型表示装置の使用時の状態を示す斜視図である。
【図２】この発明の背面投写型表示装置の使用時の状態を示す断面図である。
【図３】この発明の背面投写型表示装置の収納時の状態を示す斜視図である。
【図４】この発明の背面投写型表示装置の収納時の状態を示す断面図である。
【図５】従来の背面投写型表示装置を示す概略断面図である。
【符号の説明】
１  本体ケース
２  映像投写装置
３  全反射ミラー
４  スクリーン
５  蓋部
６  蓋部
【図１】
0004208320.tif 000002
【図２】
0004208320.tif 000003
【図３】
0004208320.tif 000004
【図４】
0004208320.tif 000005
【図５】
0004208320.tif 000006